(57)【特許請求の範囲】
【請求項１】
ガラス板を背面から支持する背受けを備える背枠と、前記背枠を載置する架台と、前記背枠の左右端に配設されパレットの幅を調整するための左右に伸縮自在な一対のスライド部材とを備えるガラス板輸送用パレットにおいて、
前記背枠は、少なくとも１本のスライドガイドを備えており、
前記スライドガイドには、長尺の剛性部材からなり、その長手方向が前記背枠の左右方向であり、断面形状が矩形状で下辺が開放されたフレーム材からなり、前記フレーム材の内側上辺をレールとして使用するレールが備えられ、
前記スライドガイドの両端部には、それぞれ１個のスライドガイド車輪が軸着されており、
前記一対のスライド部材は、それぞれスライド部材背受けと、少なくとも１本のスライド軸とを備えており、
前記スライド部材背受けは、その表面が前記背枠に備えられた背受けの表面と同一平面上となるように設置される板状部材であり、
前記架台には、左右に伸びる複数の架台横フレームと前記架台横フレームと直交し、それぞれの架台横フレームと接続される複数の架台つなぎフレームと、パレットを支持する架台脚部とが備えられており、さらに前記架台横フレームの下部にはフォークリフトでパレットを持ち上げる際に、フォークリフトのフォークを差し込む位置決めを容易にするためのフォーク受けが設置されており、
前記スライド部材背受けの下端にスライド部材支持車輪が接地可能に設置されており、
前記スライド軸は、長尺の剛性フレーム材であり、その一端部は、スライド部材背受けに接合され、もう一端には、１個のスライド軸車輪が軸着されており、
前記スライド軸を、前記スライドガイドの左右端からそれぞれ前記レールと前記スライドガイド車輪とに上下に挟まれるように挿入したときに、
前記スライド軸は、前記レールよりも下方に位置しており、
前記スライド軸車輪は、前記レールの下方から前記レールに当接し、
前記スライドガイド車輪は、前記スライド軸の下方から前記スライド軸に当接し
前記スライド部材背受けが自重によって下方向に下がろうとする力によって上方向に上がろうとする前記スライド軸車輪が、前記レールに押付けられ、前記スライドガイド端部で下方向に下がろうとする前記スライド軸が、前記スライドガイド車輪に押付けられることを特徴とするガラス板輸送用パレット。
【請求項２】
前記レールの前記スライド軸車輪との当接面が、前記背枠の前記背受けの表面に対して直交していることを特徴とする請求項１に記載のガラス板輸送用パレット。
【請求項３】
前記レールの長さを前記背枠の左右幅と同じにしたことを特徴とする請求項１または２に記載のガラス板輸送用パレット。
【発明の詳細な説明】
【技術分野】
【０００１】
本発明は、建築用ガラス板などの大型ガラス板の輸送用のガラス板輸送用パレットに関する。
【背景技術】
【０００２】
窓ガラスや壁パネルとして使用される板ガラスは、工場で必要な大きさにカットされ、パレットに積載されて工事現場まで運搬されている。運搬される板ガラスの大きさはさまざまなであり、そのさまざまな大きさのガラス板に合わせてさまざまなパレットを所持することは不経済であるため、さまざまな大きさのガラス板に対して一種類のパレットで対応する手段がこれまで提案されてきている。
【０００３】
例えば特開平６−１８３４７７号公報には、パレット本体の左右両端に、左右に伸縮自在なスライド部材を有しており、前記スライド部材同士が左右同時に伸縮動作させられるように左右相互に連結されており、輸送するガラス板の大きさに合わせて左右のスライド部材を伸縮させて前記ガラス板輸送用パレットの幅を調整するガラス板輸送用パレットが提案されている（特許文献１）。
【先行技術文献】
【特許文献】
【０００４】
【特許文献１】特開平６−１８３４７７号公報
【発明の概要】
【発明が解決しようとする課題】
【０００５】
特許文献１に記載された発明は、前記スライド部材同士を左右同時に伸縮動作させるために、左右のスライド部材のそれぞれに結合されたスライド軸がパレット本体中央部に設置された歯車に左右からそれぞれ噛合する構成になっているため、長期間繰り返し使用していると、左右のスライド軸が歯車とうまく噛合できずスライド部材が動かなくなるなど、円滑な伸縮動作を長期間保障することが難しいという問題があった。
【課題を解決するための手段】
【０００６】
本発明はこの問題点に鑑みて、左右に伸縮自在なスライド部材を備えるガラス板輸送用パレットに関して、前記パレットで輸送するガラス板の大きさに合わせて左右に設けているスライド部材を伸縮させて前記パレットの幅を調整する際に、前記スライド部材を伸縮させる機構を単純な構成とすることで、前記スライド部材を長期間円滑に動作させることが可能であるガラス板輸送用パレットを提供することを目的としている。
【０００７】
すなわち本発明は、ガラス板を背面から支持する背受けを備える背枠と、前記背枠を載置する架台と、前記背枠の左右端に配設され左右に伸縮自在な一対のスライド部材とを備えるガラス板輸送用パレットにおいて、前記背枠は、少なくとも１本のスライドガイドを配設しており、前記スライドガイドは、長尺の剛性部材からなり、その長手方向が前記背枠の左右方向であるレールが備えられ、前記レールの左右端のうちの少なくとも一端にスライドガイド車輪が軸着されており、前記一対のスライド部材は、それぞれスライド部材背受けと、少なくとも１本のスライド軸とを備えており、前記スライド部材背受けは、その表面が前記背枠に備えられた背受けの表面と同一平面上となるように配設される板状部材であり、前記スライド軸は、長尺の剛性フレーム材であり、その一端は、スライド部材背受けの側面に接合され、もう一端には、スライド軸車輪が軸着されており、前記スライド軸を、前記スライドガイドの左右端からそれぞれ挿入したときに、前記スライド軸は、前記レールよりも下方に位置しており、前記スライド軸車輪は、前記レールの下方から前記レールに当接し、前記スライドガイド車輪は、前記スライド軸の下方から前記スライド軸に当接していることを特徴とするガラス板輸送用パレットである。
【０００８】
あるいはまた本発明は、前記レールの左右端に一対のスライドガイド車輪を軸着したことを特徴とする上述のガラス板輸送用パレットである。
【０００９】
あるいはまた本発明は、前記スライドガイドが、断面が矩形状で下辺が開放されているフレーム材であり、前記レールが、前記矩形状で下辺が開放されているフレーム材の内側上辺であることを特徴とする上述のガラス板輸送用パレットである。
【００１０】
あるいはまた本発明は、前記レールの前記スライド軸車輪との当接面が、前記背枠の前記背受けの表面に対して直交していることを特徴とする上述のガラス板輸送用パレットである。
【００１１】
あるいはまた本発明は、前記レールの長さを前記背枠の左右幅と同じにしたことを特徴とする上述のガラス板輸送用パレットである。
【００１２】
あるいはまた本発明は、前記スライド部材背受けの下端にスライド部材支持車輪を設置したことを特徴とする上述のガラス板輸送用パレットである。
【発明の効果】
【００１３】
本発明によれば、前記ガラス板輸送用パレットに積載するガラス板の大きさに合わせて前記スライド部材の前記スライド軸を前記スライドガイドの前記レールに沿って伸縮動作させる際に、前記スライド軸がレールよりも下方に位置しており、前記スライド軸の先端に備えられた前記スライド軸車輪が前記レールの下方から当接し、前記スライドガイドの端部に配設された前記スライドガイド車輪が、前記スライド軸の下方から前記スライド軸に当接する構成としているため、前記スライド部材背受けが自重によって下方に傾こうとすることに対して、前記スライド軸が前記スライドガイドに引っ掛かることを防ぎ、前記スライド軸の円滑な動作を保障することができる。
【００１４】
また、本発明は、歯車同士の噛合する箇所がなく、前記スライドガイドと前記スライド軸に備えられた車輪による円滑な動作によって前記スライド部材の伸縮動作を行うため、石などの噛み込みや歯の欠けなどによって前記スライド部材の伸縮動作ができなくなることを防ぐことができ、長期間の円滑なスライド部材の伸縮動作を保障することができる。
【図面の簡単な説明】
【００１５】
【図１】本発明の実施形態に係わるガラス板輸送用パレット全体の斜視図。
【図２】本発明の実施形態に係わるガラス板輸送用パレットのスライド部材の斜視図。
【図３】本発明の実施形態に係わるガラス板輸送用パレットのスライドガイド端部とスライド部材におけるスライド軸端部のスライド軸車輪とを示した拡大図
【図４】本発明の実施形態に係わるガラス板輸送用パレットで、スライド部材のスライド軸をスライドガイドに挿入したときの、スライドガイドのレール、スライド軸車輪、スライド軸及びスライドガイド車輪との位置関係を示したスライドガイドの左右方向断面図。
【図５】図１で示した本発明の実施形態に係わるガラス板輸送用パレット全体図において、左右のスライド部材を閉じたとき様子を示したときの斜視図。
【図６】本発明の実施形態に係わるガラス板輸送用パレットに前枠を取付けたときの様子を示した斜視図。
【図７】本発明の実施形態に係わるガラス板輸送用パレットに前枠を取付け、さらにパレット全体を台車に載置したときの様子を示した斜視図。
【発明を実施するための形態】
【００１６】
＜パレットの全体構造＞
本発明のガラス板輸送用パレット１は、図１に示される背枠１０と、架台２０と、スライドガイド３０と、背枠１０の左右に設置されている一対のスライド部材５０とから構成されている。
【００１７】
背枠１０は、輸送するガラス板を支持するための背受け１２及びガラス板受け１６並びに背受け１２を支持するための背枠支柱１４、背枠上フレーム１１、背枠中フレーム１７、背受け上フレーム１３及び背受け支持フレーム１５とから構成されている。
【００１８】
背枠支柱１４は複数本備えられており、それぞれの背枠支柱１４は、架台２０の後縁部から垂直に立設されている。そして、背枠支柱１４の上端部には、パレットの左右方向に伸びている背枠上フレーム１１が接続されており、背枠支柱１４の途中部には、パレットの左右方向に伸びている背枠中フレーム１７が接続されており、背枠支柱１４を安定させている。また、背枠上フレーム１１には背受け１２を接続するための背受け上フレーム１３が所定の間隔で複数本接続されている。
【００１９】
それぞれの背受け１２は、その上端が背受け上フレーム１３に接続され、その下端が架台２０に接続され、ガラス板を傾斜させて支持できるように、斜め後方に傾斜され、それぞれの背受け１２の表面は、同一平面上に位置されるように設置されており、背受け１２によってガラス板を安定して支持できるようにしている。そして、それぞれの背受け１２を支持するための背受け支持フレーム１５が背受け１２ごとに複数個所ずつ、背枠支柱１４と背受け１２との間に接続されている。また、背受け１２の下端部には、ガラス板受け１６が設置されており、背受け１２の下端部から、架台２０の前縁部にかけて上がり勾配となるように設置されており、パレット１に載置されたガラス板がパレット１から滑り落ちないようにしている。
【００２０】
架台２０には、左右に伸びる複数の架台横フレーム２１と架台横フレーム２１と直交し、それぞれの架台横フレーム２１と接続される複数の架台つなぎフレーム２２と、パレットを支持する架台脚部２３とが備えられており、さらに架台横フレーム２１の下部にはフォークリフトでパレット１を持ち上げる際に、フォークリフトのフォークを差し込む位置決めを容易にするためのフォーク受け２５が設置されている。
【００２１】
＜スライド部材の構造＞
スライドガイド３０は、少なくとも１本備えられている必要があり、背受け１２の背面に設置されている。スライドガイド３０は、断面形状が矩形状で下辺が開放されたフレーム材であり、その長手方向が背枠１０の左右方向となるように設置されている。そして、スライドガイド３０である前記フレーム材の内側上辺をレール３１として使用している。また、図３に示すようにスライドガイド３０の両端部には、スライドガイド車輪受け３３となる一対の板片が下辺に、スライドガイド３０の長手方向の左右に対向するように並設されており、スライドガイド車輪３２の回転軸が前記板片に直交するように軸着している。スライドガイド３０は、１本備えていれば十分スライド部材５０を支持することができるが、２本以上のスライドガイド３０を上下に並設することで、スライド部材５０の支持をより安定させることができる。
【００２２】
スライド部材５０は、図１に示すように、背枠１０の左右に設置されている。スライド部材５０の構成は図２に示すように、輸送するガラス板を支持するスライド部材背受け５１と、スライド軸５２と、スライド軸５２の先端に設置されるスライド軸車輪受け５６とスライド軸車輪受け５６に軸着されるスライド軸車輪５５とを備えている。
【００２３】
スライド軸５２は、スライドガイド３０と同じ本数だけ設けられ、スライドガイド３０と同じ間隔だけ離して並設し、それぞれの一端をスライド部材背受け５１に接合している。
【００２４】
スライド軸５２をスライガイド３０に挿入したときのレール３１、スライド軸５２、スライド軸車輪５５及びスライドガイド車輪３２の位置関係は図４に示したようになる。スライド軸５２は、レール３１とスライドガイド車輪３２とに上下に挟まれるようにスライドガイド３０に挿入されており、スライド軸車輪５５は、レール３１に下方から当接しており、スライドガイド車輪３２は、スライド軸５２に下方から当接している。このような位置関係とすることによって、スライド部材背受け５１が自重によって下方向に下がろうとする力によって上方向に上がろうとするスライド軸車輪５５が、レール３１に押付けられ、スライドガイド３０端部で下方向に下がろうとするスライド軸５２が、スライドガイド車輪３２に押付けられることになり、スライド軸５２をスライドガイド３０のレール３１の端部で引っ掛けることなく円滑にスライドガイド３０の長手方向に動作させることができる。また、レール３１とスライドガイド車輪３２との間隔を適当にとって、スライド軸５２をはさみこむ構成とすることで、スライド部材背受け５１を安定的に支持することができる。
【００２５】
また、スライドガイド３０は、長くするほど、スライド部材５１を安定して支持することができるが、スライドガイド３０の長さを背枠１０の左右方向の幅と同じくらいにしたときに、パレット１の幅を背枠自体の幅から最大限度まで伸縮させることが可能となる。図５に示したようなパレット１では、パレット１に備えられているそれぞれのスライドガイド３０に左右からそれぞれスライド軸５２を挿入しているため、パレット１の幅を背枠１０自体の幅から、背枠１０の幅の略２倍程度まで伸張させることが可能となる。
【００２６】
さらに、図５のパレット１のように１本のスライドガイドを左右のスライド部材５０のスライド軸５２で共有するのではなくて、個々のスライド軸５２ごとにスライドガイド３０を用意すれば、パレット１の幅を最大で背枠１０の略３倍まで伸張させることが可能となる。
【００２７】
スライド部材背受け５１の表面と、背受け１２の表面とは、同一平面となるようにスライド部材背受け５１を背枠１０の左右に設置している。このように両背受け１２を同一平面になるように設置する際には、２本以上のスライドガイド３０を備えることとし、レール３１のスライド軸車輪５５との当接面が背受け１２の表面と直交するようにし、同時にスライドガイド３０と同数のスライド軸５２をスライドガイド３０の背受け１２に沿った方向での間隔と同じになるようにスライド部材背受け５１の表面に平行となるように、かつ表面から適当な距離を離して接合するとよい。このようにすることによって、各スライド軸５２をそれぞれのスライドガイド３０に挿入したとき、スライド部材背受け５１の表面が、背受け１２の表面と同一平面となる。
【００２８】
また、図６に示したように、スライド部材５０を伸張させた状態で長時間保管もしくは使用されているときに、スライド部材背受け５１の下端に設けられているスライド部材支持車輪５４が接地することによって、スライド部材背受け５１の自重によってスライド軸車輪５５及びスライドガイド車輪３２にかかる負荷を減少させることができるため、各車輪の破損を防ぐ効果を得ることができる。
【００２９】
また、スライド部材背受け５１の側部には、バンド掛け５３が設置されており、ガラス板をパレット１に積載したときの、パレット１へのガラス板のバンドでの固定を容易にしている。
【００３０】
＜前枠の使用＞
ガラス板を本発明の実施形態に係わるパレット１に積載した際には、積載したガラス板の前部を覆うように、図６に示したように前枠４０を架台に設置して、ガラス板の前面を保護している。
【００３１】
パレット１に積載して輸送する際には、図６のように前枠４０を接続させるが、背枠１０の両端上部と各前枠の前縁部の側端部にフック６０をそれぞれ設置することによって、クレーンを用いたパレット１の積み下ろしが容易に行えるようにしている。また、パレット１は、図７に示したように台車７０に搭載することができ、例えばガラスの積載場内での移動が容易に行えるようにしている。
【００３２】
＜スライド部材の動作＞
続いて、本発明の実施形態に係わるガラス板輸送用パレット１のスライド部材の伸縮動作について図４を用いて説明する。
【００３３】
図４は、スライドガイド３０にスライド軸５２を挿入したときのスライドガイド３０の左右方向の断面図である。スライドガイド３０を構成する断面形状が矩形状で下辺が開放されたフレーム材の上辺側の内面をレール３１としており、スライド軸車輪５５をレール３１の下方からレール３１に当接させている。また、スライドガイド車輪３２が、スライド軸５２に下方から当接させられている。
【００３４】
このような位置関係とすることによって、スライド部材背受け５１が自重によって下方向に下がろうとする力によって上方向に上がろうとするスライド軸車輪５５が、レール３１に押付けられ、スライドガイド３０端部で下方向に下がろうとするスライド軸５２が、スライドガイド車輪３２に押付けられることになり、スライド軸５２をスライドガイド３０のレール３１や端部で引っ掛けることなく円滑にスライド部材５０を伸縮動作させることができる。また、スライド軸車輪５５及びスライド軸５２は、スライド部材背受け５１の自重によって、それぞれレール３１とスライドガイド車輪３２に押付けられることとなるため、スライド軸車輪５５及びスライドガイド車輪３２が脱輪する可能性を減少させることができる。
【００３５】
そして、スライド部材５０を伸縮させて所望の位置で固定するためにスライドガイド３０のレール３１に一定間隔で伸縮方向に貫通孔（図示せず）を設置するとともに、スライド軸５２にも、レール３１と対向する面にレール３１に設けた貫通孔と同じ間隔で貫通孔（図示せず）を設置している。そして、スライド部材５０をある位置で固定するときには、レール３１に設置した貫通孔とスライド軸５２に設置した貫通孔との上下位置が合致する位置に合わせて、複数個所にボルトを通してスライド軸５２が動かないようにする。
【００３６】
このように、スライド部材５０は、前記貫通孔の間隔でしか、その伸縮幅を調整できないが、数十ｍｍ間隔で貫通孔を設置しておけば実用上問題はない。
【００３７】
また、スライドガイド３０の下方が開放されているが、このようにしておくことで、スライドガイド３０内に侵入する塵や埃、石などの異物がたまらず、常にスライドガイド３０内がきれいに保たれるので、スライド軸車輪５５やスライドガイド車輪３２に塵がたまって回転しにくくなるとか、異物が噛み込まれてしまい動かなくなってしまうということなどを防止することができる。
【００３８】
以上好適な実施の形態について述べたが、本発明はこれに限定されるものではなく種々の応用が考えられるものである。
【符号の説明】
【００３９】
１  パレット
１０  背枠
１１  背枠上フレーム
１２  背受け
１３  背受け上フレーム
１４  背枠支柱
１５  背受け支持フレーム
１６  ガラス板受け
１７  背枠中フレーム
２０  架台
２１  架台横フレーム
２２  架台つなぎフレーム
２３  架台脚部
２４  底板
２５  フォーク受け
３０  スライドガイド
３１  レール
３２  スライドガイド車輪
３３  スライドガイド車輪受け
４０  前枠
４１  前枠支柱
４２  前枠上桟
４３  前枠横フレーム
５０  スライド部材
５１  スライド部材背受け
５２  スライド軸
５３  バンド掛け
５４  スライド部材支持車輪
５５  スライド軸車輪
５６  スライド軸車輪受け
６０  フック
７０  台車
【図１】
0005680439.tif 000002
【図２】
0005680439.tif 000003
【図３】
0005680439.tif 000004
【図４】
0005680439.tif 000005
【図５】
0005680439.tif 000006
【図６】
0005680439.tif 000007
【図７】
0005680439.tif 000008